(57)【要約】【課題】複数の電線を均一に圧接することができる圧接接続装置およびこの圧接接続装置を備えた照明装置を提供すること。【解決手段】圧接端子３１ｂを固定した基部２０を有し、電線ホルダー４０に保持された複数の電線Ｗを前記圧接端子３１ｂに圧接する圧接接続装置１００において、前記基部２０は、前記電線ホルダー４０を回動可能に支持するとともに支点となる支持部２１ａおよび前記電線ホルダー４０に係合する係合部６０を有し、前記電線ホルダーＷは、一端に設けられ前記支持部２１ａによって支持される回動軸４１ａおよび前記係合部６０に係合する被係合部５０を有し、前記電線ホルダー４０が前記回動軸４１ａを中心として回動することによって前記複数の電線Ｗを圧接する際に、該電線ホルダー４０は前記支持部２１ａと前記係合部６０との間で引っ張られる。【選択図】図８
2012018757.tif 000002
【特許請求の範囲】
【請求項１】
圧接端子を固定した基部を有し、電線ホルダーに保持された複数の電線を前記圧接端子に圧接する圧接接続装置において、
前記基部は、前記電線ホルダーを回動可能に支持するとともに支点となる支持部および前記電線ホルダーに係合する係合部を有し、
前記電線ホルダーは、一端に設けられ前記支持部によって支持される回動軸および前記係合部に係合する被係合部を有し、
前記電線ホルダーが前記回動軸を中心として回動することによって前記複数の電線を圧接する際に、該電線ホルダーは前記支持部と前記係合部との間で引っ張られることを特徴とする圧接接続装置。
【請求項２】
前記係合部は、突起であり、
前記被係合部は、前記電線ホルダーの両側部に形成された切欠きであることを特徴とする請求項１に記載の圧接接続装置。
【請求項３】
前記係合部は、突起であり、
前記被係合部は、前記電線ホルダーを貫通する貫通孔であることを特徴とする請求項１に記載の圧接接続装置。
【請求項４】
複数の電線を圧接端子に圧接させることによって、該複数の電線からの電力供給を可能とする照明装置において、
請求項１〜３のいずれか１つに記載の圧接接続装置を備え、該圧接接続装置によって、前記複数の電線を前記圧接端子に圧接することを特徴とする照明装置。
【発明の詳細な説明】
【技術分野】
【０００１】
本発明は、圧接接続装置およびこの圧接接続装置を備えた照明装置に関する。
【背景技術】
【０００２】
従来、電線を端子に接続させる場合、圧接端子の圧接刃の溝内に電線を圧接する圧接接続装置が知られている。ここで、圧接とは、圧接端子に電線を押し付けることによって、圧接端子の圧接刃によって電線の絶縁被膜を切り裂き、これにより剥き出しになった芯線を圧接端子と接触させることである。例えば、特許文献１には複数の電線を圧接端子に圧接させる電線圧接型コネクタが提案されている。
【０００３】
特許文献１の電線圧接型コネクタは、圧接端子を有したハウジングに、複数の電線を保持させ、圧接カバーによってハウジングの上方から複数の電線に対して押し付け力を付加して複数の電線を圧接端子に圧接させるものである。
【先行技術文献】
【特許文献】
【０００４】
【特許文献１】特開２００５−３３２７９６号公報
【発明の概要】
【発明が解決しようとする課題】
【０００５】
しかしながら、特許文献１の電線圧接型コネクタは、圧接の際に複数の電線に対して荷重をかけなければならないため、圧接の時に圧接カバーが歪曲してしまい、結果的に複数の電線を均一に圧接することが難しいという問題があった。
【０００６】
本発明は、上記に鑑みてなされたものであって、複数の電線を均一に圧接することができる圧接接続装置およびこの圧接接続装置を備えた照明装置を提供することを目的とする。
【課題を解決するための手段】
【０００７】
上述した課題を解決し、目的を達成するために、本発明の請求項１にかかる圧接接続装置は、圧接端子を固定した基部を有し、電線ホルダーに保持された複数の電線を前記圧接端子に圧接する圧接接続装置において、前記基部は、前記電線ホルダーを回動可能に支持するとともに支点となる支持部および前記電線ホルダーに係合する係合部を有し、前記電線ホルダーは、一端に設けられ前記支持部によって支持される回動軸および前記係合部に係合する被係合部を有し、前記電線ホルダーが前記回動軸を中心として回動することによって前記複数の電線を圧接する際に、該電線ホルダーは前記支持部と前記係合部との間で引っ張られることを特徴とする。
【０００８】
また、本発明の請求項２にかかる圧接接続装置は、上記の発明において、前記係合部は、突起であり、前記被係合部は、前記電線ホルダーの両側部に形成された切欠きであることを特徴とする。
【０００９】
また、本発明の請求項３にかかる圧接接続装置は、上記の発明において、前記係合部は、突起であり、前記被係合部は、前記電線ホルダーを貫通する貫通孔であることを特徴とする。
【００１０】
また、本発明の請求項４にかかる照明装置は、複数の電線を圧接端子に圧接させることによって、該複数の電線からの電力供給を可能とする照明装置において、請求項１〜３のいずれか１つに記載の圧接接続装置を備え、該圧接接続装置によって、前記複数の電線を前記圧接端子に圧接することを特徴とする。
【発明の効果】
【００１１】
本発明の請求項１にかかる圧接接続装置は、電線ホルダーが回動軸を中心として回動することによって前記複数の電線を圧接する際に、該電線ホルダーは支持部と係合部との間で引っ張られ、圧接の際に生じる電線ホルダーの歪曲を防止することができるので、複数の電線を均一に圧接することができる。
【００１２】
本発明の請求項２にかかる圧接接続装置は、突起と、切欠きとによって電線ホルダーを基部に係合させて電線ホルダーを支持部と係合部との間で引っ張られるようにしているので、簡易な構成で圧接の際に生じる電線ホルダーの歪曲を防止することができる。
【００１３】
本発明の請求項３にかかる圧接接続装置は、突起と、貫通孔とによって電線ホルダーを基部に係合させて電線ホルダーを支持部と係合部との間で引っ張られるようにしているので、簡易な構成で圧接の際に生じる電線ホルダーの歪曲を防止することができる。
【００１４】
本発明の請求項４にかかる照明装置は、請求項１〜３にかかる圧接接続装置を備えるため、請求項１〜３にかかる圧接接続装置と同様の効果を奏することができる。
【図面の簡単な説明】
【００１５】
【図１】図１は、本発明の実施の形態にかかる圧接接続装置を備えた照明装置の分解斜視図である。
【図２】図２は、図１に示した照明装置の斜視図である。
【図３】図３は、図１に示した電線ホルダーの斜視図である。
【図４】図４は、電線ホルダーの上押さえ部と下押さえ部との係合をはずした状態を示した斜視図である。
【図５】図５は、電線ホルダー取り付け前の電線ホルダー受け部の拡大斜視図である。
【図６】図６は、電線ホルダーの回動軸が支持部によって回動自在に支持されることを説明するための図である。
【図７】図７は、電線ホルダーがロック部によってハウジングに固定されることを説明するための図である。
【図８】図８は、本発明の実施の形態にかかる圧接接続装置を示した図である。
【図９】図９は、圧接接続装置によって、複数の電線を圧接端子に圧接させる手順を示した図である。
【図１０】図１０は、圧接接続装置によって、複数の電線を圧接端子に圧接させる手順を示した図である。
【図１１】図１１は、圧接接続装置によって、複数の電線を圧接端子に圧接させる手順を示した図である。
【図１２】図１２は、電線が圧接刃に接触すると、その反力により電線ホルダーが突出壁に当たることを説明するための図である。
【発明を実施するための形態】
【００１６】
以下、図面を参照して、本発明にかかる圧接接続装置を備えた照明装置の好適な実施の形態を詳細に説明する。なお、この実施の形態によってこの発明が限定されるものではない。
【００１７】
実施の形態
図１は、本発明の実施の形態にかかる圧接接続装置１００を備えた照明装置１の分解斜視図である。図２は、図１に示した照明装置１の斜視図である。照明装置１は、例えば、車内の天井に配置され、車内を照明するものである。照明装置１は、複数の電線Ｗを圧接端子３１ｂに圧接させることによって、複数の電線Ｗからの電力供給を可能としている。照明装置１は、図１に示すようにレンズ体１０と、ハウジング２０と、照明機能部３０とを有する。
【００１８】
レンズ体１０は、外形が長方形状をなし、３つの操作収容孔１１が形成されている。
【００１９】
ハウジング２０には、照明機能部３０が組み込まれる。ハウジング２０は、照明機能部３０が組み込まれた状態でレンズ体１０に取付けられる。また、ハウジング２０は、後述する電線ホルダー４０を受けるための電線ホルダー受け部２１を有する。
【００２０】
照明機能部３０は、バスバー３１と、スイッチ操作部３２と、バルブ３３と、複数の電線Ｗを保持する電線ホルダー４０とを有する。バスバー３１は、給電端子３１ｄおよび電線Ｗを接続するための圧接刃３１ａを備えた圧接端子３１ｂを有する。スイッチ操作部３２は、ハウジング２０に収容される。スイッチ操作部３２は、バルブ３３の点灯消灯の動作状態を切替え操作するための操作部である。スイッチ操作部３２は、コンタクト３２ａを介して給電端子３１ｄに接触することによってバルブ３３への通電を可能とする。
【００２１】
電線ホルダー４０は、複数の電線Ｗを並べて保持するものである。電線ホルダー４０に保持された複数の電線Ｗを圧接端子３１ｂに押し付けることによって、複数の電線Ｗを圧接端子３１ｂに圧接させる。電線ホルダー４０は、図３および図４に示すように、上押さえ部４１と下押さえ部４２とが折り曲げ可能な連結部４３を介して連結している。電線ホルダー４０は、連結部４３を折り曲げて上押さえ部４１と下押さえ部４２とで複数の電線Ｗを挟み込むことによって複数の電線Ｗを回動軸４１ａの軸方向に延びるように保持する。
【００２２】
上押さえ部４１は、回動軸４１ａと、押し圧付加部Ｆと、仕切り部４１ｂを有する。回動軸４１ａは、円柱状をなし、連結部４３のそばである上押さえ部４１の端部近傍に設けられる。押し圧付加部Ｆは、連結部４３側を一端側とした他端側に設けられ、電線ホルダー４０に保持された複数の電線Ｗを圧接端子３１ｂに押し付ける際に押し込み圧力を付加させる部分となる。仕切り部４１ｂは、図４に示すように、複数の電線Ｗを仕切って保持する。
【００２３】
下押さえ部４２は、圧接貫通部４２ａと、貫入部４２ｂと、ガイド部４２ｃとを有する。圧接貫通部４２ａは、圧接刃３１ａを貫通させるための貫通孔である。貫入部４２ｂは、仕切り部４１ｂの突起した部分が貫入するための部分である。ガイド部４２ｃは、上押さえ部４１に保持された複数の電線Ｗに対応した位置に設けられ、複数の電線Ｗのそれぞれをガイドする。
【００２４】
また、電線ホルダー４０は、断面凹形状の切欠き部５０を有する。切欠き部５０は、上押さえ部４１の両側部に形成された上切欠き部５１と、下押さえ部４２の両側部に形成された下切欠き部５２とが繋がって形成されている。上切欠き部５１は、上切欠き部５１を形成する壁の対向する壁面の法線が平行に形成される。
【００２５】
下切欠き部５２は、下切欠き部５２を形成する壁の対向する壁面の間隔が下方に向かって拡大するように形成される。より具体的には、図４に示すように、下切欠き部５２を形成する対向する壁面のうち回動軸４１ａと逆側の壁面５２ａ（以下、回動軸逆側壁面５２ａという。）が、法線を下押さえ部の底面の法線に対して直角にして形成され、下切欠き部４１を形成する対向する壁面のうち回動軸側の壁面５２ｂ（以下、回動軸側壁面５２ｂという。）が、壁面の間隔が下方に向かって拡大するように形成される。
【００２６】
ここで、ハウジング２０が有する電線ホルダー受け部２１について図５〜図７を用いて詳細に説明する。図５は、電線ホルダー４０取り付け前の電線ホルダー受け部２１の拡大斜視図である。図６は、電線ホルダー４０の回動軸４１ａが支持部２１ａによって回動自在に支持されることを説明するための図である。図７は、電線ホルダー４０がロック部２１ｄによってハウジング２０に固定されることを説明するための図である。
【００２７】
電線ホルダー受け部２１は、図５に示すように、支持部２１ａ、ロック部２１ｄおよび変形防止リブ６０を有する。支持部２１ａは、図６に示すように、電線ホルダー４０が有する回動軸４１ａを回動自在に支持する。支持部２１ａは、回動軸４１ａを支持する軸受け壁部２１ｂと、支点となる突出壁２１ｃとを有する。突出壁２１ｃは、電線ホルダー４０の取り付け側に突出させた壁である。
【００２８】
ロック部２１ｄは、図７に示すように、支持部２１ａによって回動自在に支持される電線ホルダー４０をハウジング２０に固定するものである。
【００２９】
変形防止リブ６０は、切欠き部５０に係合する部分である。変形防止リブ６０は、図５に示すように、鉛直方向の断面が直角三角形状の突起をなし、上部の角を丸めた形状をなしている。変形防止リブ６０は、切欠き部５０に対応する位置に傾斜面Ｓ１を支持部２１ａ側に向け、垂直に立ち上がる直立面Ｓ２を支持部２１ａと逆側に向けて設けられる。より具体的には、変形防止リブ６０は、電線ホルダー４０を回動させた際に、切欠き部５０のうち回動軸逆側壁面５２ａが、変形防止リブ６０の上部と最初に接触開始する。
【００３０】
一方、回動軸側壁面５２ｂは、変形防止リブ６０の傾斜面Ｓ１と向かい合い、かつ壁面の間隔が下方に向かって拡大するように形成されているので、圧接完了まで変形防止リブ６０に接触しないようになっている。このため、圧接完了まで回動軸逆側壁５２ａが直立面Ｓ２からの反力を受けることになる。すなわち、電線ホルダー４０は、変形防止リブ６０に接触してから、圧接完了まで回動軸４１ａから押し圧付加部Ｆに向けて引っ張り力を受けることになる。
【００３１】
ここで、本発明の実施の形態にかかる圧接接続装置１００について図８を用いて説明する。図８は、本発明の実施の形態にかかる圧接接続装置１００を示した図である。圧接接続装置１００は、電線ホルダー４０と、基部としてのハウジング２０と、ハウジング２０に固定された圧接端子３１ｂとを有する。圧接接続装置１００は、電線ホルダー４０に保持された複数の電線Ｗを圧接端子３１ｂに押し付けることによって、複数の電線Ｗを圧接端子３１ｂに圧接させるものである。
【００３２】
つぎに、圧接接続装置１００によって、圧接端子３１ｂに複数の電線Ｗを圧接させる手順を図９〜図１１を用いて説明する。図９〜図１１は、圧接接続装置１００によって、複数の電線Ｗを圧接端子３１ｂに圧接させる手順を示した図である。
【００３３】
まず、電線ホルダー４０の回動軸４１ａを、支持部２１ａに取り付ける（図９参照）。
【００３４】
その後、回動軸４１ａを中心として電線ホルダー４０を回動させる（図１０参照）。この電線ホルダー４０の回動によって、電線Ｗが圧接刃３１ａに接触すると、その反力により電線ホルダー４０が突出壁２１ｃに当たる（図１２参照）。これにより、突出壁２１ｂは、梃子の原理における支点Ｐ１となる。このとき、突出壁２１ｃを支点Ｐ１、圧接される電線Ｗを作用点Ｐ２、押し圧付加部Ｆを力点Ｐ３として電線Ｗが圧接される。
【００３５】
また、変形防止リブ６０は、切欠き部５０との接触を開始する。このとき、変形防止リブ６０の角を丸められた上部が、切欠き部５０の回動軸逆側壁面５２ａに接触を開始する。回動軸逆側壁面５２ａは、変形防止リブ６０と接触することにより回動軸４１ａとは逆側方向Ｔに反力を受ける。この力が支持部２１ａで支持された電線ホルダー４０を回動軸４１ａと逆側に引っ張る力となる。このとき、回動軸側壁面５２ｂは変形防止リブ６０と接触していない。
【００３６】
その後、さらに、回動ホルダー４０を回動させることによって、電線ホルダー４０がロック部２１ｄによりハウジング２０に固定されて圧接が完了する（図１１参照）。
【００３７】
この実施の形態の圧接接続装置１００は、電線ホルダー４０が回動軸４１ａを中心として回動することによって複数の電線Ｗを圧接する際に、電線ホルダー４０は支持部２１ａと変形防止リブ６０との間で引っ張られ、圧接の際に生じる電線ホルダー４０の歪曲を防止することができるので、複数の電線を均一に圧接することができる。
【００３８】
また、この実施の形態の圧接接続装置１００は、変形防止リブ６０と、切欠き部５０とによって電線ホルダー４０をハウジング２０に係合させて電線ホルダー４０を支持部２１ａと変形防止リブ６０との間で引っ張られるようにしているので、簡易な構成で圧接の際に生じる電線ホルダー４０の歪曲を防止することができる。
【００３９】
また、この実施の形態の圧接接続装置１００は、変形防止リブ６０に係合するものとして切欠き部５０を例示したが、これに限らず、電線ホルダー４０は、変形防止リブ６０に接触してから、圧接完了まで回動軸４１ａから押し圧付加部Ｆに向けて引っ張り力を受けることができればよい。例えば、変形防止リブ６０と係合する貫通孔を電線ホルダー４０の押し圧付加部Ｆ付近に設けるようにしてもよい。この場合も、簡易な構成で圧接の際に生じる電線ホルダー４０の歪曲を防止することができる。
【符号の説明】
【００４０】
１      照明装置
１０    レンズ体
１１    操作収容孔
２０    ハウジング
２１    電線ホルダー受け部
２１ａ  支持部
２１ｂ  軸受け壁部
２１ｃ  突出壁
２１ｄ  ロック部
３０    照明機能部
３１    バスバー
３１ａ  圧接刃
３１ｂ  圧接端子
３２    スイッチ操作部
３２ａ  コンタクト
３３    バルブ
４０    電線ホルダー
４１    上押さえ部
４１ａ  回動軸
４１ｂ  仕切り部
４２    下押さえ部
４２ａ  圧接貫通部
４２ｂ  貫入部
４２ｃ  ガイド部
４３    連結部
５０    切欠き部
５１    上切欠き部
５２    下切欠き部
５２ａ  回転軸逆側壁面
５２ｂ  回転軸側壁面
６０    変形防止リブ
１００  圧接接続装置
Ｗ    電線
Ｓ１  傾斜面
Ｓ２  直立面
【図１】
2012018757.tif 000003
【図２】
2012018757.tif 000004
【図３】
2012018757.tif 000005
【図４】
2012018757.tif 000006
【図５】
2012018757.tif 000007
【図６】
2012018757.tif 000008
【図７】
2012018757.tif 000009
【図８】
2012018757.tif 000010
【図９】
2012018757.tif 000011
【図１０】
2012018757.tif 000012
【図１１】
2012018757.tif 000013
【図１２】
2012018757.tif 000014